(57)【要約】【課題】座席の機体前後方向の位置調節だけでなく、簡単な構成でもって座席と機体との取付け位置も変更可能にする。【解決手段】座席１７の機体前後方向の位置を調節可能な前後調節ブラケット３３（前後調節機構）と、コ字状ブラケット３２（機体）との間に、取付位置調節ブラケット３５（ブラケット）を介在する。該ブラケット３５は、一端に前後調節ブラケット３３のピン３６を装着し得る連結孔３５ａ（連結部）を有し、かつ他端に機体との取付け位置を変更し得る変更部４０を有する。該変更部４０によって取付位置調節ブラケット３５を回動して、座席と機体との取付け位置を変更する。【選択図】図５
2015030398.tif 000002
【特許請求の範囲】
【請求項１】
作業者が着座する座席と、該座席の前部に、複数の調節孔を有する前後調節機構と、を設け、複数の前記調節孔に選択的にピンを嵌挿し、機体側に連結することで前記座席の機体前後方向の位置を調節可能であって、かつ前記ピンを支点として前記座席を前記機体に回動自在に支持した乗用型田植機において、
前記前後調節機構と前記機体との間に、一端に前記ピンを装着し得る連結部を有し、かつ他端に前記機体との取付け位置を変更し得る変更部を有するブラケットを介在してなる、
ことを特徴とする乗用型田植機。
【請求項２】
前記変更部は、前記機体に回転自在に支持される支点部と、前記機体に設けられた複数の孔に係合可能な係合部と、を有し、
前記複数の孔の機体前方側の孔に前記係合部を係合すると、前記座席が前記機体のステップ面に対して低くなり、前記複数の孔の機体後方側の孔に前記係合部を係合すると、前記座席が前記ステップ面に対して高くなる、
請求項１記載の乗用型田植機。
【発明の詳細な説明】
【技術分野】
【０００１】
本発明は、走行しつつ圃場に苗を植付ける乗用型田植機に係り、詳しくは、座席の位置を調節する機構に関する。
【背景技術】
【０００２】
一般に、田植機等の乗用農機では、作業者が着座する運転シートを前後スライド可能に構成し、作業者の体格や好みに合わせて座席位置を調節可能になっている。
【０００３】
従来、運転シートを機体の前後方向にスライド可能に構成すると共に、該運転シートを前下方から後上方方向へと変位可能な乗用型農機が提案されている（特許文献１）。該乗用型農機は、最下位にある状態の運転シートの後方に、後上方へと延びるガイドレールを敷設して、運転シートの後部に配置したコロ体が該ガイドレールに案内されることで、運転シートを後上方に移動可能になっている。
【先行技術文献】
【特許文献】
【０００４】
【特許文献１】特開平１０−５９０４２号公報
【発明の概要】
【発明が解決しようとする課題】
【０００５】
しかしながら、上記特許文献１記載のものは、構成が複雑であり、また苗の補充の際に運転シートの下方及び後方側のスペースが足場として重要となる乗用型田植機として見ると、運転シートの後方にガイドレールが配置されており、運転シートの下方及び後方に十分なスペースが確保されていないという問題があった。
【０００６】
そこで、本発明は、前後調節機構と機体との間にブラケットを設け、該ブラケットの取付位置を変更することで座席の高さ及び角度を調節可能にして、もって上述した課題を解決した乗用型田植機を提供することを目的とする。
【課題を解決するための手段】
【０００７】
本発明は、作業者が着座する座席（１７）と、該座席（１７）の前部に、複数の調節孔（３３ａ，３３ｂ，３３ｃ）を有する前後調節機構（３３）と、を設け、複数の前記調節孔（３３ａ，３３ｂ，３３ｃ）に選択的にピン（３６）を嵌挿し、機体（５）側に連結することで前記座席（１７）の機体前後方向の位置を調節可能であって、かつ前記ピン（３６）を支点として前記座席（１７）を前記機体（５）に回動自在に支持した乗用型田植機（１）において、
前記前後調節機構（３３）と前記機体（５）との間に、一端に前記ピン（３６）を装着し得る連結部（３５ａ）を有し、かつ他端に前記機体（５）との取付け位置を変更し得る変更部（４０）を有するブラケット（３５）を介在してなる、
ことを特徴とする。
【０００８】
例えば図５及び図６を参照して、前記変更部（４０）は、前記機体（５）に回転自在に支持される支点部（３７）と、前記機体（５）に設けられた複数の孔（３２ａ，３２ｂ）に係合可能な係合部（３９）と、を有し、
前記複数の孔（３２ａ，３２ｂ）の機体前方側の孔（３２ｂ）に前記係合部（３９）を係合すると、前記座席（１７）が前記機体（５）のステップ面（２３，２５，２６，２７）に対して低くなり、前記複数の孔（３２ａ，３２ｂ）の機体後方側の孔（３２ａ）に前記係合部（３９）を係合すると、前記座席（１７）が前記ステップ面（２３，２５，２６，２７）に対して高くなる。
【０００９】
なお、上述カッコ内の符号は、図面と対照するためのものであるが、何ら本発明の構成を限定するものではない。
【発明の効果】
【００１０】
請求項１に係る本発明は、前後調節機構によって座席を前後調節可能であると共に、前後調節機構と機体との間に設けたブラケットによって機体との取付け位置を調節可能であるので、コンパクトな構成で座席の位置調節範囲を大きくすることができる。また、ブラケットによって機体との取付け位置を調節することにより、座席の位置調節範囲の割には座席の前後位置調節量が少なく済むので、苗補充作業等に必要な座席後方のスペースを十分に確保することができる。
【００１１】
請求項２に係る本発明は、変更部を支点部と係合部から構成したので、簡単な構成でもって座席の位置調節範囲を大きくすることができる。
【図面の簡単な説明】
【００１２】
【図１】本発明を適用した乗用型田植機を示す全体側面図。
【図２】その平面図。
【図３】座席の機体への取付けを示す平面図。
【図４】その正面図。
【図５】取付位置調節ブラケットを機体後方側に傾けた状態を示す側面図。
【図６】取付位置調節ブラケットを機体前方側に傾けた状態を示す側面図。
【発明を実施するための形態】
【００１３】
以下、図面に沿って、本発明の実施の形態について説明する。本発明を適用した乗用型田植機１は、４条植えの比較的小型の乗用型田植機である。該乗用型田植機１は、図１及び図２に示すように、左右一対の前輪２及び後輪３に支持される機体５と、該機体５の後部に昇降リンク機構６を介して昇降自在に連結される植付作業機７と、を備えて構成されている。
【００１４】
上記植付作業機７は、上記機体５の進行方向である前後方向の軸回りにローリング自在に上記昇降リンク機構６に支持されたフレーム部９を有している。該フレーム部９は、前高後低状の傾斜姿勢で苗載台１０を支持しており、該苗載台１０には、その載置面１０ａに載置されるマット苗を下方搬送する縦送り機構１１が設置されている。上記フレーム部９の後方には、植付部１２が一体的に延設されており、該植付部１２の移植杆１３が回転することで、上記載置面１０ａに載置されて下端に搬送されたマット苗から一株分の苗を掻き取って、圃場に連続的に移植できるようになっている。
【００１５】
上記機体５は、前部に空冷式のエンジンを覆うボンネット１５が、後部に作業者が上記乗用型田植機１を運転操作する運転操作部１６が配置されている。上記ボンネット１５は、機体５のフレームに開閉自在に支持されており、その左右両側方には、スリット状の通風孔１５ａ，１５ａが形成されている。上記運転操作部１６は、作業者が着座する座席１７と、上記機体５の旋回操作を行うステアリングハンドル１９と、前後進の切替えを行う主変速レバー２０と、クラッチ・ブレーキペダル２１と、等を有している。作業者が着座した際の足元正面部分は、上記ボンネット１５と上記座席１７との間に配置される後部カバー２２で覆われている。上記機体５の作業者が移動するステップ面は、上記ボンネット１５の左右に配置されるフロントステップ２３，上記座席１７と上記後部カバー２２との間に配置されるメインステップ２５及びサイドステップ２６，上記座席１７の左右後方に配置されるリアステップ２７，２８によって構成されている。
【００１６】
上記座席１７の下方は、図３及び図４に示すように、上記メインステップ２５，サイドステップ２６，及びリアステップ２７，２８と連続する外装カバー２９によって覆われている。該外装カバー２９の前部の湾曲部２９ａには、開口部３０が設けられており、該開口部３０からは、上記機体５のフレーム３１が露出している。該フレーム３１には、断面コの字形状からなるコ字状ブラケット３２が固定されており、該コ字状ブラケット３２は、上記開口部３０から上記座席１７方向へ突出している。上記座席１７の前部下部には、機体前後方向に複数の調節孔３３ａ，３３ｂ，３３ｃを有する前後調節ブラケット３３（前後調節機構）が設けられている。該前後調節ブラケット３３によって、後述するように、座席１７の機体前後方向の位置を調節可能になっている。
【００１７】
上記コ字状ブラケット３２と上記前後調節ブラケット３３との間には、図５及び図６に示すように、側面視略直角三角形状の取付位置調節ブラケット３５が介在している。該取付位置調節ブラケット３５の一端には、連結孔３５ａ（連結部）が設けられており、上記前後調節ブラケット３３の調節孔３３ｂ及び上記連結孔３５ａをピン３６が抜き止めされて装着されている。上記取付位置調節ブラケット３５の他端には、上記コ字状ブラケット３２にピンによって回転自在に支持される支点部３７と、該支点部３７の同心円状に、上記コ字状ブラケット３２に設けられた複数の変更孔３２ａ，３２ｂ（複数の孔）にボルト止めによって選択的に係合可能な係合部３９と、が設けられている。これら支点部３７と係合部３９は、ブラケット３５の機体５への取付け位置を変更し得る変更部４０を構成している。
【００１８】
なお、本実施の形態では、複数の変更孔３２ａ，３２ｂは２つの孔から構成されるが、３つ以上の孔から構成されてもよく、他に、例えば長孔から構成し、ロック機構を有する係合部によってブラケット３５の機体５への取付け位置を連続的に変更可能にしてもよい。また、上記係合部３９は、ボルト止めに限らず、ピン止め等によって行ってもよい。
【００１９】
上記ピン３６は、上記座席１７の回動支点となっており、該座席１７は、ピン３６を中心にして、機体５に回動自在に支持されている。上記座席１７の後部下部には、ゴム等の弾性部材からなる防振体４１が取付けられており、該防振体４１と上記外装カバー２９とが固定されていないために、上記座席１７を簡単に機体前方に倒すことができる。例えば植付作業機７の苗補充の際には、必要に応じて座席１７を機体前方に倒して、作業者はリアステップ２７，２８及び外装カバー２９上にて苗補充作業を行う。
【００２０】
本発明は、以上のような構成からなるので、作業者は、その体格や好みに合わせて座席１７の位置調節を行う。該座席１７の位置調節は、前後調節ブラケット３３による座席１７の機体前後方向の位置調節と、取付位置調節ブラケット３５による座席１７前部の機体５への取付位置調節によって行う。
【００２１】
座席１７の機体前後方向の位置調節を行う際には、作業者は、例えば図５及び図６に示すように、前後調節ブラケット３３の調節孔３３ｂ及び取付位置調節ブラケット３５の連結孔３５ａにピン３６が嵌挿されている場合、このピン３６を引き抜く。次に、例えば前後調節ブラケット３３の調節孔３３ｃと取付位置調節ブラケット３５の連結孔３５ａが重なるように位置合わせして、これらの孔にピン３６を嵌挿することで、座席１７が機体前方へと移動する。逆に、前後調節ブラケット３３の調節孔３３ａと連結孔３５ａとを重ね合わせて、これらの孔にピン３６を嵌挿することで、座席１７は機体後方へと移動する。
【００２２】
座席１７の高さ及び角度調節を行う場合には、取付位置調節ブラケット３５によって座席１７前部の機体５への取付位置を調節する。図５に示すように、コ字状ブラケット３２の機体後方側の変更孔３２ａに係合部３９を係合すると、ブラケット３５の連結孔３５ａが比較的機体後方側かつ上方側に配置されるため、座席１７がメインステップ２５等のステップ面に対して高くなる。この状態で座席１７に作業者が着座すると、座席１７前部が高くなることによって、作業者の膝の折れ量が大きくなり、クラッチ・ブレーキペダル２１までの必要な足の長さは長くなる。すなわち、例えば前後調節ブラケット３３によって座席１７の機体前後位置調節をして、ステアリングハンドル１９との距離は合わせることができたが、クラッチ・ブレーキペダル２１までの距離が近いような場合、機体後方側の変更孔３２ａに係合部３９を係合することで、クラッチ・ブレーキペダル２１との距離感も合わせることができる。
【００２３】
また、図６に示すように、コ字状ブラケット３２の機体前方側の変更孔３２ｂに係合部３９を係合すると、ブラケット３５の連結孔３５ａが比較的機体前方側かつ下方側に配置されるため、座席１７がメインステップ２５等のステップ面に対して低くなる。この状態で座席１７に作業者が着座すると、座席１７前部が低くなることによって、作業者の膝の折れ量が小さくなり、クラッチ・ブレーキペダル２１までの必要な足の長さは短くなる。すなわち、ステアリングハンドル１９と座席１７との機体前後方向の距離は合わせることができたが、クラッチ・ブレーキペダル２１までの距離が遠いような場合、機体前方側の変更孔３２ｂに係合部３９を係合することで、クラッチ・ブレーキペダル２１との距離感も合わせることができる。
【００２４】
このようにして、前後調節ブラケット３３による座席１７の機体前後方向の位置調節と、取付位置調節ブラケット３５による座席１７前部の機体５への取付位置調節と、によって座席１７の位置調節を行うので、コンパクトかつ簡単な構成で座席１７の位置調節範囲を大きくすることができる。また、座席１７を機体前後方向だけでなく、機体上下方向にも調節できるようにしたので、座席の位置調節範囲を拡げながらも、座席１７をあまり機体後方へと移動しなくて済むので、苗補充作業時等に必要な座席１７後方の足場スペースを十分に確保することができる。
【符号の説明】
【００２５】
１    乗用型田植機
５    機体
１７    座席
２３，２５，２６，２７    ステップ面
３２ａ    機体後方側の変更孔（機体後方側の孔）
３２ｂ    機体前方側の変更孔（機体前方側の孔）
３２ａ，３２ｂ    複数の変更孔（複数の孔）
３３    前後調節ブラケット（前後調節機構）
３３ａ，３３ｂ，３３ｃ    複数の調節孔
３５    取付位置調節ブラケット（ブラケット）
３５ａ    連結孔（連結部）
３６    ピン
３７    支点部
３９    係合部
４０    変更部
【図１】
2015030398.tif 000003
【図２】
2015030398.tif 000004
【図３】
2015030398.tif 000005
【図４】
2015030398.tif 000006
【図５】
2015030398.tif 000007
【図６】
2015030398.tif 000008